(57)【要約】【課題】ＷとＲとＧとＢの４色の発光が可能なＥＬディスプレイにおいて、電力低減効果を損なわず、高輝度部の焼付改善を図る。【解決手段】ＷとＲとＧとＢの４色発光が可能なＥＬディスプレイと、ＲＧＢ入力信号からＷ’信号を作成するＷ信号変換手段と、Ｗ’信号よりＥＬディスプレイに表示するためのＷ出力信号を作成するＷ信号補正手段と、Ｗ出力信号とＲＧＢ入力信号からＥＬディスプレイに表示するためのＲＧＢ出力信号を作成するＲＧＢ変換手段にから構成されるディスプレイ装置において、Ｗ信号補正手段はＷ’信号のレベルが低い場合にはゲイン１を乗じてＷ信号を出力する一方、Ｗ’信号が高くなるにつれて小さいゲインを乗じてＷ信号を出力することにより、輝度の低い場合ではＷが最大となるような表示によって電力を低減し、焼付きが問題となる輝度の高い場合にはＷの比率を低減する。【選択図】図１
2006243437.tif 000002
【特許請求の範囲】
【請求項１】
ＲＧＢ入力画像信号に応じた画像を表示するＲＧＢＷからなる４色ディスプレイの表示装置であって、
前記４色ディスプレイと、
前記ＲＧＢ入力画像信号から白色成分であるＷ’信号を作成するＷ信号変換手段と、
Ｗ’信号より前記４色ディスプレイに表示するためのＷ出力信号を作成するＷ信号補正手段と、
前記Ｗ出力信号と前記ＲＧＢ入力画像信号から前記４色ディスプレイに表示するためのＲＧＢ出力信号を作成するＲＧＢ変換手段とを有し、
前記Ｗ信号補正手段は、前記Ｗ’信号のレベルが所定の値より低い場合には、前記Ｗ’信号にゲイン１を乗じてＷ信号を出力し、前記Ｗ’信号が高くなるにつれて、前記Ｗ’信号に乗じるゲインを減じてＷ信号を出力する
ディスプレイ装置。
【請求項２】
ＲＧＢ入力画像信号に応じた画像を表示するＲＧＢＷからなる４色ディスプレイの表示装置であって、
前記４色ディスプレイと、
前記ＲＧＢ入力画像信号から白色成分であるＷ’信号を作成するＷ信号変換手段と、
前記Ｗ’信号の１フィールド期間の平均レベルを出力するＷ信号平均輝度検出手段と、
Ｗ’信号とＷ信号平均輝度検出手段出力より前記４色ディスプレイに表示するためのＷ出力信号を作成するＷ信号補正手段と、
前記Ｗ出力信号と前記ＲＧＢ入力画像信号から前記４色ディスプレイに表示するためのＲＧＢ出力信号を作成するＲＧＢ変換手段とを有し、
前記Ｗ信号補正手段は、前記Ｗ’信号のレベルが所定の値より低い場合には、前記Ｗ信号平均輝度検出手段の出力信号レベルに関わらず前記Ｗ’信号にゲイン１を乗じてＷ信号を出力し、前記Ｗ’信号のレベルが所定の値より高い場合には、前記Ｗ信号平均輝度検出手段の出力信号レベルにも応じてＷ信号を出力し、
前記Ｗ信号平均輝度検出手段の出力信号レベルが所定の値より低い場合には、前記Ｗ’信号が高くなるにつれて、前記Ｗ’信号に乗じるゲインを減じてＷ信号を出力し、
前記Ｗ信号平均輝度検出手段の出力信号レベルが高くなるにつれて、前記Ｗ’信号が高くなった場合においても、前記Ｗ’信号に乗じるゲインを維持するべく制御する
ディスプレイ装置。
【請求項３】
前記Ｗ信号補正手段は、Ｗ’入力信号に応じたゲイン発生手段と、Ｗ’入力信号に前記ゲイン発生手段の出力ゲインを乗じて出力するゲイン補正手段とを有する請求項１記載のディスプレイ表示装置。
【請求項４】
前記Ｗ信号補正手段は、Ｗ’入力信号と前記Ｗ信号平均輝度検出手段の出力信号の両方に応じたゲイン発生手段と、Ｗ’入力信号に前記ゲイン発生手段の出力ゲインを乗じて出力するゲイン補正手段とを有する請求項２記載のディスプレイ表示装置。
【請求項５】
前記Ｗ信号補正手段は、前記ＲＧＢ入力画像信号の輝度レベルが高い場合には、前記４色ディスプレイに表示されるＷとＲＧＢの寿命が概同じになるようなＷ信号を出力することを特徴とする請求項１または２に記載のディスプレイ装置。
【発明の詳細な説明】
【技術分野】
【０００１】
本発明は、入力画像信号に応じた画像を表示するディスプレイの表示装置、特にＥＬディスプレイの表示装置に関するものである。
【背景技術】
【０００２】
ＥＬディスプレイは、通常赤色（以後Ｒ）、緑色（以後Ｇ）、青色（以後Ｂ）の３色の副画素を有する画素で表示される（以後３色ＥＬディスプレイ）。しかし、最近では、図２に示すようにＲ、Ｇ、Ｂに白色（以下Ｗ）を加えた４色の副画素を有する画素で構成されるものが発表されている（以後４色ＥＬディスプレイ）。これは、白色ＥＬ発光層を使用し、これにＲ、Ｇ及びＢの各カラーフィルターを付け、Ｗにはカラーフィルターを付けないものが一般的である。（特許文献１等）
このようなＲＧＢＷ４色の副画素を持つ４色ＥＬディスプレイの表示方法について、液晶を始めとする受光型のディスプレイについては特許文献２に示されるような方法が記載されているが、ＥＬディスプレイのような自発光のものについては詳しい記載がなされているものは無い。しかしながら、４色ＥＬディスプレイを採用する目的が電力低減であることは明確であり、これは一般的な画像のＲＧＢ入力信号において多くの割合を占める無彩色の白色信号を可能な限り透過率の高いＷの副画素に表示することで実現可能となる。
【０００３】
このような４色ＥＬディスプレイを表示するための構成を図１１に示す。
【０００４】
図１１に示すＥＬディスプレイ装置は、Ｗ信号変換手段１、ＲＧＢ信号変換手段３、ＥＬディスプレイ４を備える。
【０００５】
Ｗ信号変換手段１はＲＧＢ入力信号から白色成分であるＷｏｕｔ信号を作成しＥＬディスプレイ４に入力する。ＲＧＢ信号変換手段３はＲＧＢ入力信号からＷ成分を減じたＲｏｕｔ、Ｇｏｕｔ、Ｂｏｕｔ信号を作成しＥＬディスプレイ４に入力する。
【０００６】
図１２は、４色ＥＬディスプレイに白色の信号が入力された場合の概念図を示す。
【０００７】
図１２（ａ）はＲ、Ｇ、Ｂの入力信号であり、白色の場合は、Ｒ、Ｇ、Ｂのレベルが概同じである。３色ディスプレイに表示する場合は図１２（ａ）の入力信号をそのまま印加すれば良い。一方、４色ＥＬディスプレイに表示する場合には、図１２（ｂ）に示すようにＷｏｕｔ信号のみを印加すれば良く、Ｒｏｕｔ、Ｇｏｕｔ、Ｂｏｕｔの各信号は０となる。もちろん、ＷとＲ＋Ｇ＋Ｂの白色色度が異なる場合には、上記出力に対し、若干の補正が必要である。また、ここではＷとＲ＋Ｇ＋Ｂの白色輝度が同一であるということを前提に概念を説明しているが、ＷとＲ＋Ｇ＋Ｂの白色輝度が異なる場合は、補正が必要になる。
【０００８】
図１３は、４色ＥＬディスプレイに赤色成分のみからなる信号が入力された場合の概念図を示す。図１３に示すように、入力信号のＧとＢが０でＲのみの場合には、白色成分が存在しないため、Ｗｏｕｔは０となり、同様にＧｏｕｔ、Ｂｏｕｔも０でＲｏｕｔのみが出力される。白色成分と色成分が混在している場合においても図１２、図１３に示す概念の組み合わせで実現可能である。
【０００９】
Ｒ、Ｇ、Ｂの３色から構成されるＥＬディスプレイと４色ＥＬディスプレイの電力について以下に説明する。ここでは、Ｗ、Ｒ、Ｇ、Ｂの各副画素に同一の電流と電圧を印加した場合（Ｒ、Ｇ、Ｂ、Ｗの各副画素の電力が同一の場合）にＷとＲ＋Ｇ＋Ｂの電力が同じであること、また、３色ＥＬディスプレイ及び４色ＥＬディスプレイの両方が白色ＥＬ発光層を使用しこれにカラーフィルターを付けたものであること、電流密度によって発光効率が変わらないことを前提に説明する。
【００１０】
図１２（ａ）の入力信号において、３色ＥＬディスプレイの電力を３（Ｒ、Ｇ、Ｂを各１）とする。この場合、４色ＥＬディスプレイの電力はＷのみの発光となるため１となり、電力は１／３となる。一方、図１３（ａ）のような入力信号においては、３色ＥＬディスプレイも４色ＥＬディスプレイも１となり変わらない。ここで、前述のとおり、一般的な画像のＲＧＢ入力信号において無彩色である白色成分の比率が多いため、平均すると電力は概１／２程度まで低減される。
【特許文献１】特開２００４−３３４２０４号公報
【特許文献２】特開２００１−１４７６６６号公報
【発明の開示】
【発明が解決しようとする課題】
【００１１】
しかしながら、４色ＥＬディスプレイにおいては、ＥＬ素子の発光特性が発光時間の経過に伴って劣化し、同じ入力電流によって得られる輝度が徐々に低下する問題が３色ＥＬディスプレイに対して顕著になることが考えられる。４色ＥＬディスプレイにおいては、副画素の数が４／３倍（３から４に増加）となるため、副画素の面積が全て同一であると仮定すると、副画素の開口率はそれぞれ３／４以下になる。したがって同じ発光を得るため単位面積に流す電流は３／４倍以上になる。図１４に単位面積あたりの発光輝度（電流密度）と輝度半減寿命の関係を示す。図１４に示すように単位面積あたりの発光輝度が増加するにつれて、輝度半減寿命は反比例の関係以上に大きく劣化することが知られている。したがって、図１２（ｂ）に示すようなＷ信号のみを印加した場合、Ｗ画素の輝度半減寿命は３／４以下になる。４色ディスプレイにおいても輝度が低い場合には、この現象は顕著には現れないが、時刻等の高輝度固定文字については、この現象が指数関数的に顕著になることは図１４に示すように明らかである。
【００１２】
この現象を改善するため、図１５に示すように、白色の入力信号をＷｏｕｔのみで表示せず、Ｗｏｕｔ、Ｒｏｕｔ、Ｇｏｕｔ、Ｂｏｕｔで表示することは可能であるが、その場合は電力が図１２（ｂ）の場合に対し２倍となる。実際には、単位面積あたりの発光輝度が増加すると若干ではあるが発光効率が低下する場合が多く、４色ＥＬディスプレイの最大の特徴である電力低減効果が大きく損なわれる。電力低減効果が損なわれると、無効電力によるＥＬディスプレイの温度上昇が発生する。図１６に一般的な有機ＥＬディスプレイの温度と輝度半減寿命の相関を示すが、このような温度上昇は、輝度半減寿命の劣化を招き、結果的に焼付きの改善を招くこととなる。
【００１３】
本発明の目的は、４色ＥＬディスプレイにおいて、時刻等の高輝度固定文字における焼付きを改善すると同時に、４色ＥＬディスプレイの特徴である電力低減効果を維持することで、温度上昇による画面全体の輝度半減寿命を損なわないことである。
【課題を解決するための手段】
【００１４】
請求項１記載の発明は、
ＲＧＢ入力画像信号に応じた画像を表示するＲＧＢＷからなる４色ディスプレイの表示装置であって、前記４色ディスプレイと、前記ＲＧＢ入力画像信号から白色成分であるＷ’信号を作成するＷ信号変換手段と、Ｗ’信号より前記４色ディスプレイに表示するためのＷ出力信号を作成するＷ信号補正手段と、前記Ｗ出力信号と前記ＲＧＢ入力画像信号から前記４色ディスプレイに表示するためのＲＧＢ出力信号を作成するＲＧＢ変換手段とを有し、前記Ｗ信号補正手段は、前記Ｗ’信号のレベルが所定の値より低い場合には、前記Ｗ’信号にゲイン１を乗じてＷ信号を出力し、前記Ｗ’信号が高くなるにつれて、前記Ｗ’信号に乗じるゲインを減じてＷ信号を出力するディスプレイ装置であり、
前記ＲＧＢ入力画像信号の輝度レベルが低い場合には、前記Ｗ信号が最大になるような表示によって電力を低減し、前記ＲＧＢ入力画像信号の輝度レベルが高い場合には、前記Ｗ信号の比率を低減し、Ｒ＋Ｇ＋Ｂの輝度とほぼ等しくなるよう制御する。
【００１５】
上記Ｗ’信号に応じた制御により、４色ディスプレイの表示装置の特徴である電力低減効果の悪化を最小限にとどめ、焼付きを改善することが可能となる。
請求項２記載の発明は、
ＲＧＢ入力画像信号に応じた画像を表示するＲＧＢＷからなる４色ディスプレイの表示装置であって、前記４色ディスプレイと、前記ＲＧＢ入力画像信号から白色成分であるＷ’信号を作成するＷ信号変換手段と、前記Ｗ’信号の１フィールド期間の平均レベルを出力するＷ信号平均輝度検出手段と、Ｗ’信号とＷ信号平均輝度検出手段出力より前記４色ディスプレイに表示するためのＷ出力信号を作成するＷ信号補正手段と、前記Ｗ出力信号と前記ＲＧＢ入力画像信号から前記４色ディスプレイに表示するためのＲＧＢ出力信号を作成するＲＧＢ変換手段とを有し、前記Ｗ信号補正手段は、前記Ｗ’信号のレベルが所定の値より低い場合には、前記Ｗ信号平均輝度検出手段の出力信号レベルに関わらず前記Ｗ’信号にゲイン１を乗じてＷ信号を出力し、前記Ｗ’信号のレベルが所定の値より高い場合には、前記Ｗ信号平均輝度検出手段の出力信号レベルにも応じてＷ信号を出力し、前記Ｗ信号平均輝度検出手段の出力信号レベルが所定の値より低い場合には、前記Ｗ’信号が高くなるにつれて、前記Ｗ’信号に乗じるゲインを減じてＷ信号を出力し、前記Ｗ信号平均輝度検出手段の出力信号レベルが高くなるにつれて、前記Ｗ’信号が高くなった場合においても、前記Ｗ’信号に乗じるゲインを維持するべく制御するディスプレイ装置である。
【００１６】
このような制御により、前記ＲＧＢ入力画像信号の輝度レベルが低い場合、若しくは前記ＲＧＢ入力画像信号の画面全体の平均輝度レベルが高い場合には、前記Ｗ信号が最大になるような表示によって電力を低減し、前記ＲＧＢ入力画像信号の画面全体の平均輝度レベルが高く、且つ、前記ＲＧＢ入力画像信号の輝度レベルが高い場合には、前記Ｗ信号の比率を低減し、Ｒ＋Ｇ＋Ｂの輝度とほぼ等しくなるよう制御する。上記Ｗ’信号とＷ’信号の１フィールド期間の平均輝度レベルに応じた制御により、４色ディスプレイの表示装置の特徴である電力低減効果の悪化を最小限にとどめ、焼付きを改善することが可能となる。
請求項３の発明は、
前記Ｗ信号補正手段は、Ｗ’入力信号に応じたゲイン発生手段と、Ｗ’入力信号に前記ゲイン発生手段の出力ゲインを乗じて出力するゲイン補正手段を有する請求項１記載のディスプレイ表示装置である。
請求項４の発明は、
前記Ｗ信号補正手段は、Ｗ’入力信号と前記Ｗ信号平均輝度検出手段の出力信号の両方に応じたゲイン発生手段と、Ｗ’入力信号に前記ゲイン発生手段の出力ゲインを乗じて出力するゲイン補正手段を有する請求項２記載のディスプレイ表示装置。
請求項５の発明は、
前記Ｗ信号補正手段は、前記ＲＧＢ入力画像信号の輝度レベルが高い場合には、前記４色ディスプレイに表示されるＷとＲＧＢの寿命が概同じになるようなＷ信号を出力することを特徴とする請求項１、２記載のディスプレイ装置。
【発明の効果】
【００１７】
以上により４色ディスプレイにおいて、時刻等の高輝度固定文字における焼付きを改善すると同時に、４色ディスプレイの特徴である電力低減効果の悪化を最小限に留めることが可能になる。また、これにより、温度上昇による画面全体の輝度半減寿命を損なわないことが可能である。
【発明を実施するための最良の形態】
【００１８】
以下、本発明に係るディスプレイ装置について説明する。
（実施例１）
図１は、本発明の第１の実施例によるＥＬディスプレイ装置の構成を示すブロック図である。
【００１９】
図１に示すＥＬディスプレイ装置は、Ｗ信号変換手段１、Ｗ信号補正手段２、ＲＧＢ信号変換手段３、ＥＬディスプレイ４を備える。Ｗ信号変換手段１はＲＧＢ入力信号から白色成分であるＷ’信号を作成する。このＷ’信号は４色ＥＬディスプレイにおいて電力を最小にする出力である。Ｗ信号補正手段２は、Ｗ信号変換手段１から出力されるＷ’信号より最終的にＥＬディスプレイに表示するためのＷｏｕｔ出力信号を作成する。ＲＧＢ信号変換手段３はＲＧＢ入力信号からＷ成分を減じたＲｏｕｔ、Ｇｏｕｔ、Ｂｏｕｔ信号を作成しＥＬディスプレイ４に入力する。
【００２０】
図３は、本発明の第１の実施例におけるＷ信号補正手段２の構成を示すブロック図である。
【００２１】
図３に示すＷ信号補正手段２は、ゲイン発生手段５、ゲイン補正手段６を備える。ゲイン発生手段５は、Ｗ信号変換手段１から出力されるＷ’信号よりＷ’信号に応じたゲインをリアルタイムに出力する。
【００２２】
図４は、本発明の第１の実施例におけるゲイン発生手段５の動作を示す概念図である。図４に示すようにゲイン発生手段５は、一般的な映像信号においてほとんどの割合を占めるＷ’信号のレベルが低い領域においては１のゲインを発生する。通常の映像信号においては高輝度の白色文字、一部の白の輝く部分等を除く殆どの信号がＷ’＝０．５以下であり、そのためゲイン×１の範囲をＷ’＝０〜０．５程度とすることが望ましい。一方、図４に示すように、Ｗ’信号レベルが高くなるにつれて徐々にゲインを減じ、白色文字等焼付きが顕著に発生するようなＷ’信号レベルの最も高い部分においては、ゲインが最も小さくなるように制御する。Ｒ＋Ｇ＋ＢとＷの無彩色における発光効率や寿命が同じであれば、Ｗ’信号レベルが最も高い場合のゲインは×０．５が望ましい。一方、例えばＲ＋Ｇ＋Ｂの発光効率や寿命が悪い場合は×０．５より大きいゲインに、逆にＷの発光効率や寿命が悪い場合は×０．５より小さいゲインにすることが望ましいが、その場合はＷ’信号入力とＷ信号出力の逆転現象が発生しないよう、ゲイン×１を保持する範囲もＷ’＝０．５から同様に減じる必要がある。
【００２３】
ゲイン補正手段６は、Ｗ信号変換手段１から出力されるＷ’信号にゲイン発生手段５から出力されるゲインを乗じてＷｏｕｔ信号を出力する。図５は本発明の第１の実施例におけるＷ信号補正手段の動作を示す概念図である。図５に示すように、一般的な映像信号においてほとんどの割合を占めるＷ’信号のレベルが低い領域においては従来どおり、電力を最小にするようなるべく多くのＷｏｕｔ信号を出力する一方、Ｗ’レベルがある一定値を超える輝度の高い無彩色領域においてはＷｏｕｔの輝度を一定に保つ。
【００２４】
このようなＷ信号補正手段２の制御により、無彩色信号におけるＲＧＢ信号変換手段３の出力は、Ｗ’信号のレベルが低い領域においては従来どおり０であるが、Ｗ’レベルがある一定値を超える輝度の高い領域においては、図５の破線に示すように徐々にそのレベルが高くなる。
【００２５】
尚、Ｗ信号補正手段２の動作を図６のように徐々に変化させることによっても同様の効果を得ることが可能である。
【００２６】
このように、一般的な映像信号においてほとんどの割合を占めるＷ’信号のレベルが低い領域については、Ｗｏｕｔ信号が最大になるような制御によって４色ＥＬディスプレイの特徴である電力低減効果の悪化を最小限に留め、一方、映像信号の成分としては少ないが焼付きの発生可能性が高い、白色文字等の領域であるＷ’信号のレベルが高い領域では、Ｗｏｕｔ信号の比率を低減し、その一方で、Ｒｏｕｔ、Ｇｏｕｔ、Ｂｏｕｔの比率を増加させるような制御によってＷ画素の焼付きを大幅に改善する。また、電力低減効果が大きく悪化しないことから、パネル温度上昇による画面全体の寿命悪化も最小限に留めることが可能である。
【００２７】
尚、ＥＬディスプレイのＲ＋Ｇ＋ＢとＷの無彩色における発光効率や同一輝度での寿命が同じであるという条件においては、Ｗ’信号レベルが最も高い場合、Ｒ＋Ｇ＋ＢとＷの輝度が同じになるように制御することが、焼付きにとって最も望ましい。
【００２８】
一方、Ｒ＋Ｇ＋Ｂの発光効率や同一輝度での寿命がＷに比べて悪い場合には、寿命が同一になるように、Ｗの輝度を高くすることが、逆にＷの発光効率や同一輝度での寿命がＲ＋Ｇ＋Ｂに比べて悪い場合には、Ｒ＋Ｇ＋Ｂの輝度の方を高くすることが望ましい。
（実施例２）
図７は、本発明の第２の実施例によるＥＬディスプレイ装置の構成を示すブロック図である。
【００２９】
図７に示すＥＬディスプレイ装置は、Ｗ信号変換手段１、Ｗ信号平均輝度検出手段１２、Ｗ信号補正手段１１、ＲＧＢ信号変換手段３、ＥＬディスプレイ４を備える。Ｗ信号変換手段１はＲＧＢ入力信号から白色成分であるＷ’信号を作成する。このＷ’信号は４色ＥＬディスプレイにおいて電力を最小にする出力である。Ｗ信号平均輝度検出手段１２は、Ｗ信号変換手段１から出力されるＷ’信号の１フィールド期間の平均レベルであるＷ’ａｖｅを出力する。Ｗ信号補正手段１１は、Ｗ信号変換手段１から出力されるＷ’信号とＷ信号平均輝度検出手段１２から出力されるＷ’ａｖｅ信号より最終的にＥＬディスプレイに表示するためのＷｏｕｔ出力信号を作成する。ＲＧＢ信号変換手段３はＲＧＢ入力信号からＷ成分を減じたＲｏｕｔ、Ｇｏｕｔ、Ｂｏｕｔ信号を作成しＥＬディスプレイ４に入力する。
【００３０】
図８は、本発明の第２の実施例におけるＷ信号補正手段１１の構成を示すブロック図である。
【００３１】
図３に示すＷ信号補正手段１１は、ゲイン発生手段１３、ゲイン補正手段６を備える。ゲイン発生手段１３は、Ｗ信号変換手段１から出力されるＷ’信号とＷ信号平均輝度検出手段１２から出力されるＷ’ａｖｅ信号に応じたゲインをリアルタイムに出力する。
【００３２】
図９は、本発明の第２の実施例におけるゲイン発生手段１３の動作を示す概念図である。図９に示すようにゲイン発生手段１３は、一般的な映像信号においてほとんどの割合を占めるＷ’信号のレベルが低い領域においてはＷ’ａｖｅ信号のレベルに関わらず、第１の実施例と同様×１のゲインを発生する。通常の映像信号においては高輝度の白色文字、一部の白の輝く部分等を除く殆どの信号がＷ’＝０．５以下であり、そのためゲイン×１の範囲をＷ’＝０〜０．５程度とすることが望ましいことも第１の実施例と同様である
一方、Ｗ’信号レベルが高い場合は、Ｗ’ａｖｅ信号の信号に応じた制御を実施する。Ｗ’ａｖｅ信号が低い場合においては、第１の実施例と同様、Ｗ’信号レベルが高くなるにつれて徐々にゲインを減じ、白色文字等焼付きが顕著に発生するようなＷ’信号レベルの最も高い部分においては、ゲインが最も小さくなるように制御する。Ｒ＋Ｇ＋ＢとＷの無彩色における発光効率や寿命が同じであれば、Ｗ’信号レベルが最も高い場合のゲインは０．５が望ましいことも第１の実施例と同様である。
【００３３】
しかし、Ｗ’ａｖｅが高くなるにつれて、図９に示すようにゲインを減じる開始点をＷ’＝０．５から徐々に高くし、同様にＷ’信号レベルが最も高い場合のゲインも、Ｗ’ａｖｅが低い場合に比べ高くする。
【００３４】
ゲイン補正手段６は、Ｗ信号変換手段１から出力されるＷ’信号にゲイン発生手段１３から出力されるゲインを乗じてＷｏｕｔ信号を出力する。図１０は本発明の第１の実施例におけるＷ信号補正手段の動作を示す概念図である。図１０に示すように、一般的な映像信号においてほとんどの割合を占めるＷ’信号のレベルが低い領域においては、Ｗ’ａｖｅ信号のレベルに関わらず第１の実施例と同様、電力を最小にするようなるべく多くのＷｏｕｔ信号を出力する。
【００３５】
一方、Ｗ’レベルがある一定値を超える輝度の高い無彩色領域においては、Ｗ’ａｖｅ信号の信号に応じた制御を実施する。
【００３６】
Ｗ’ａｖｅ信号が低い場合においては、第１の実施例と同様、Ｗ’レベルがある一定値を超える輝度の高い無彩色領域においてはＷｏｕｔの輝度を一定に保つ。一方、Ｗ’ａｖｅ信号が高くなるにつれて、Ｗｏｕｔを保持すべきＷ’レベルを徐々に高くし、それに伴いＷｏｕｔの最大値も徐々に高くする。
【００３７】
尚、Ｗ’ａｖｅとＷｏｕｔを保持すべきＷ’レベルの開始点の関係であるが、入力画像信号のなるべく多くの信号がＷ’以下であることが望ましいため、式１であらわされる。このとき、αは一般的な映像を鑑みて０．１〜０．２程度の値で固定する方法や、１フィールド分のＷ’信号の分散により１フィールド〜数フィールド毎に変更する方法により、電力をｍｉｎにする方法がある。
【００３８】
Ｗ’ａｖｅ  ＋  α＝  （Ｗｏｕｔを保持すべき）Ｗ’の開始点  −−−−（式１）
このように、一般的な映像信号においてほとんどの割合を占めるＷ’信号のレベルが低い領域については、Ｗｏｕｔ信号が最大になるような制御によって４色ＥＬディスプレイの特徴である電力低減効果の悪化を最小限に留めるとともに、
Ｗ’信号のレベルが高い領域において、平均輝度が低く、焼付きが目立ち易い場合においては、Ｗｏｕｔ信号の比率を低減し、その一方で、Ｒｏｕｔ、Ｇｏｕｔ、Ｂｏｕｔの比率を増加させるような制御によってＷ画素の焼付きを大幅に改善し、一方平均輝度が高く、焼付きが目立ち難い場合においては、平均輝度が高くなる程、Ｗｏｕｔ信号の比率低減率を少なくし（Ｗｏｕｔが多く出力されるように制御し）電力低減効果の悪化を最小限に留める。また、電力低減効果が大きく悪化しないことから、パネル温度上昇による画面全体の寿命悪化も最小限に留めることが可能である。
【００３９】
なお、上記の各実施例においては、本発明をＥＬディスプレイ表示装置に適用した場合について説明したが、同様の表示特性を有する他のディスプレイ表示装置についても、当然適用可能である。
【産業上の利用可能性】
【００４０】
本発明は入力画像信号に応じた画像を表示するディスプレイ表示装置、特にＥＬディスプレイ表示装置に有用である。
【図面の簡単な説明】
【００４１】
【図１】本発明の第１の実施例によるＥＬディスプレイ装置の構成を示すブロック図
【図２】ＥＬディスプレイ装置の画素構成の例を示す図
【図３】本発明の第１の実施例のおけるＷ信号補正手段の構成を示すブロック図
【図４】本発明の第１の実施例のおけるゲイン発生手段の動作を示す概念図
【図５】本発明の第１の実施例のおけるＷ信号補正手段の動作を示す概念図
【図６】本発明の第１の実施例のおけるＷ信号補正手段の動作を示す別の例の概念図
【図７】本発明の第２の実施例によるＥＬディスプレイ装置の構成を示すブロック図
【図８】本発明の第２の実施例のおけるＷ信号補正手段の構成を示すブロック図
【図９】本発明の第２の実施例のおけるゲイン発生手段の動作を示す概念図
【図１０】本発明の第２の実施例のおけるＷ信号補正手段の動作を示す概念図
【図１１】従来のＥＬディスプレイ装置の構成を示すブロック図
【図１２】従来のＥＬディスプレイ装置において無彩色信号を入力した場合の動作を示す概念図
【図１３】従来のＥＬディスプレイ装置において有彩色信号を入力した場合の動作を示す概念図
【図１４】一般的な有機ＥＬディスプレイの単位面積あたりの発光輝度と輝度半減寿命の相関を示す概念図
【図１５】従来のＥＬディスプレイ装置において焼付きを低減する無彩色表示方法を示す概念図
【図１６】一般的な有機ＥＬディスプレイの温度と輝度半減寿命の相関を示す概念図
【符号の説明】
【００４２】
１    Ｗ信号変換手段
２    Ｗ信号補正手段
３    ＲＧＢ信号変換手段
４    ＥＬディスプレイ
５    ゲイン発生手段
６    ゲイン補正手段
１１    Ｗ信号補正手段（実施例２）
１２    Ｗ信号平均輝度検出手段（実施例２）
１３    ゲイン発生手段（実施例２）
【図１】
2006243437.tif 000003
【図２】
2006243437.tif 000004
【図３】
2006243437.tif 000005
【図４】
2006243437.tif 000006
【図５】
2006243437.tif 000007
【図６】
2006243437.tif 000008
【図７】
2006243437.tif 000009
【図８】
2006243437.tif 000010
【図９】
2006243437.tif 000011
【図１０】
2006243437.tif 000012
【図１１】
2006243437.tif 000013
【図１２】
2006243437.tif 000014
【図１３】
2006243437.tif 000015
【図１４】
2006243437.tif 000016
【図１５】
2006243437.tif 000017
【図１６】
2006243437.tif 000018